(57)【要約】【課題】データを一元的に管理し、カードの発行・再発行処理、アプリケーションのダウンロード等を行い、イシュア側のカード管理業務の負荷を軽減し、かつカード再発行の迅速化を図ると共に、カード利用者の利便性を向上させる。【解決手段】マルチアプリケーションＩＣカードのデータ管理システムであって、ＩＣカード発行者（２ー１〜２ーｍ）から預託されたＩＣカード発行に必要な情報をデータベース化して一元的に管理し、ＩＣカードの発行・再発行処理、課金処理等を実行するＩＣカードデータ管理センタ（３）、ＩＣカードを発行するＩＣカード発行センタ（４）、アプリケーション及びその関連情報をインターネット網を介してダウンロード配信する情報配信センタ（６）、ＩＣカードの履歴照会に対して情報を提供するサービスセンタ（７）を備えたものである。【選択図】　　　　図１
2004030237.tif 000002
【特許請求の範囲】
【請求項１】
マルチアプリケーションＩＣカードのデータ管理システムであって、
ＩＣカード発行者から預託されたカード発行に必要な情報をデータベース化して一元的に管理し、ＩＣカードの発行・再発行処理、課金処理等を実行するＩＣカードデータ管理センタと、
前記データ管理センタからカード発行情報の配信を受けてＩＣカードを発行するＩＣカード発行センタと、
前記データ管理センタからのアプリケーション及びその関連情報をインターネット網を介してダウンロード配信させる情報配信センタと、
前記データ管理センタのデータベースにアクセスしてＩＣカードの履歴照会に対して情報を提供するサービスセンタと、
を備えたことを特徴とするＩＣカードデータ管理システム。
【請求項２】
前記データ管理センタは、カード再発行に備えて発行に必要な情報を格納していることを特徴とする請求項１記載のＩＣカードデータ管理システム。
【請求項３】
前記データ管理センタは、カード発行の際、カードのライフサイクルを登録し、カードの状態遷移に伴って、カード及びアプリケーションのライフサイクルのステイタスを変更することを特徴とする請求項１記載のＩＣカードデータ管理システム。
【請求項４】
前記情報配信センタは、インターネットを介してアプリケーションを動的に配信してＩＣカードへの書き込みを可能とし、配信履歴はデータ管理センタにおいて管理されることを特徴とする請求項１記載のＩＣカードデータ管理システム。
【発明の詳細な説明】
【０００１】
【発明の属する技術分野】
本発明はＩＣカードのデータを一元的に管理し、カード発行・再発行処理、アプリケーションのダウンロード処理、課金処理等を行えるようにしたＩＣカードデータ管理システムに関する。
【０００２】
【従来の技術】
従来、ＲＯＭ（リード・オンリ・メモリ）に制御プログラム、アプリケーションプログラムを格納する単機能ＩＣカードが使用されてきたが、近年、ＥＥＰＲＯＭ等の不揮発性メモリの容量の増加によって、複数のアプリケーションプログラムを不揮発性メモリに格納して多機能化を図ったマルチアプリケーションＩＣカードの実現が可能になっている（例、ＭＵＬＴＯＳ，Ｊａｖａ　Ｃａｒｄ）。
【０００３】
定期券とプリペイドカードとを併用するＩＣカードシステムも既に普及し、また、マルチアプリケーションＩＣカードの余ったメモリエリアを提携会社等に貸与し、各提携会社が個別に発行するカードを１つのＩＣカードに統合できるようにすることや、電子マネー、ポイントカード、チケット、クーポンなどを併用したり、ＩＣカードを携帯電話にセットしてモバイル決済を可能にすることなども考えられている。
【０００４】
【発明が解決しようとする課題】
ところで、マルチアプリケーションＩＣカードの場合、ＩＣカードの単価が上昇するだけでなく、カード発行後のアプリケーションの追加、更新、削除が可能になるため、カード紛失時の再発行処理、ＩＣカード利用時の情報の流れなどが複雑化し、ＩＣカード発行者（イシュア）にとってＩＣカード管理業務が複雑かつ肥大化し、管理業務の負荷が極めて増大することが懸念され、カード管理業務の負荷を軽減し、かつカード再発行の迅速化が求められている。
【０００５】
【課題を解決するための手段】
本発明は上記課題を解決しようとするものであり、ＩＣカードについてのデータを一元的に管理し、カードの発行・再発行処理、アプリケーションのダウンロード等が円滑に行えるようにしてイシュア側のカード管理業務の負荷を軽減し、かつカード再発行の迅速化を図るとともに、カード利用者の利便性を向上させようとするものである。
そのために本発明は、マルチアプリケーションＩＣカードのデータ管理システムであって、
ＩＣカード発行者から預託されたカード発行に必要な情報をデータベース化して一元的に管理し、ＩＣカードの発行・再発行処理、課金処理等を実行するＩＣカードデータ管理センタと、
前記データ管理センタからカード発行情報の配信を受けてＩＣカードを発行するＩＣカード発行センタと、
前記データ管理センタからのアプリケーション及びその関連情報をインターネット網を介してダウンロード配信させる情報配信センタと、
前記データ管理センタのデータベースにアクセスしてＩＣカードの履歴照会に対して情報を提供するサービスセンタと、
を備えたことを特徴とする。
【０００６】
【発明の実施の形態】
以下、本発明の実施の形態を図面を参照しつつ説明する。
図１は本発明のＩＣカードデータ管理システムを説明する概念図である。
カードホルダ１−１〜１−ｎが、クレジット会社等のＩＣカード発行者（イシュア）２−１〜２−ｎに対してカード発行を申し込み、カード発行に必要な個人情報を提供する。イシュアに集められたカード発行に必要な個人情報、別途サービス提供者からイシュアに提供されるアプリケーション等の情報はイシュアからＩＣカードデータ管理センタ３に送られる。ＩＣカードデータ管理センタ３はイシュアから預託された個人情報、アプリケーション等の情報をデータベース化し、イシュアに代わってデータ管理業務を行う。また、アプリケーションが未開発な場合にはこれを開発し、制御情報や顧客データとアプリケーションとの対応づけ、鍵の生成、データの暗号化処理等、必要なデータ処理を行い、ＩＣカード発行データを生成する。
【０００７】
こうしてアプリケーションを含むデータを生成して、ＩＣカードの発行業務を担当するＩＣカード発行センタ４へ送る。ＩＣカード発行センタ４では、データ管理センタから送られたデータを各ＩＣカードに書き込み、カード表面への印字処理等も行って、マルチアプリケーションＩＣカードとして発行し、発送する。再発行依頼があった場合は、データベースから個人情報を取り出してデータをＩＣカード発行センタ４に送り再発行し、データベースの当該カードの情報を更新する。なお、ＩＣカード発行センタ４では大量のＩＣカード発行を行うが、銀行のＡＴＭのようなＩＣカード発行端末５を通して個別にリアルタイムでＩＣカードの発行を行うこともできる。
【０００８】
後日、アプリケーションの追加をしたい場合には、カードホルダから各種端末、パソコン、携帯電話機からインターネット網８を介して情報配信センタ６にアクセスし、「カード会社名」、「ＰＩＮ」、「カード番号」の情報を入力するか、もしくはカードから自動的に取り出して送ることにより、ＩＣカードデータ管理センタ３では、イシュア、サービス提供者、アプリケーションの各データベースを参照してダウンロードが許可できるかどうかを確認し、可能であれば情報配信センタ６を通してＩＣカードへのダウンロードを実行する。誰（カード番号）が、どのアプリケーションのダイナミッグ・ダウンロードを実行したかの履歴が残るので、アプリケーション使用料の請求に活用する。アプリケーションの使用料の請求には、利用者（カードホルダ）がサービス提供者に支払うケース、イシュアがサービス提供者に支払うケース、カードホルダがイシュアに支払うケースが考えられるが、そのいずれかについて請求業務に役立てる。
【０００９】
また、サービスセンタ７を通してカード履歴等の照会があると、ＩＣカードデータ管理センタではデータベースを参照し、照会に対する情報提供等のサービスを行う。
【００１０】
図２はＩＣカードデータ管理センタを説明する概念図である。
ＩＣカードデータ管理センタは、サーバ群１０、データベース２０とから構成されるシステムを有している。サーバ群１０はイシュアから預託されるデータの登録や更新を行うと共に、データ管理業務を代行し、鍵の生成や証明書の受取や登録、カード発行データの生成等を行う発行処理サーバ１１、カードホルダからの要求に対してアプリケーションのダイナミックダウンロードを行うＤＤＬサーバ１２、所定期間、例えば月次毎にアプリケーションのダウンロード、更新等の履歴を集計し、集計データをイシュアやサービス提供者に配信し、課金の元データを生成するバッチサーバ１３等を有している。
【００１１】
個人情報データベースは、カードホルダの住所、氏名、年齢、ＰＩＮ、カード有効期限、使用アプリケーション等のＩＣカードに関する情報のデータベースである。
イシュアデータベースは、ＩＣカード発行者に関する一切の情報のデータベースである。
鍵・証明書データベースは、イシュアに関する鍵、カード個別の鍵、イシュアから受け取った鍵証明書、あるいは電子署名等の秘密情報データベースである。
カードプロファイルデータベースは、ＩＣカードのチップの型番、製造メーカ、搭載するＯＳ、メモリ容量等の主にカードのハード構成を規定する情報のデータベースである。
ＡＰ一覧・ＡＰプロファイルデータベースは、データ管理センタが保有するアプリケーションの一覧の情報、各個人のＩＣカードに搭載されたアプリケーションについての過去の履歴、アプリケーションの提供者やバージョンＮｏ、アプリケーションの容量等アプリケーションの内容を示す情報のデータベースである。
【００１２】
ＳＰ（サービス提供者）プロファイルデータベースは、アプリケーションを登録申請するサービス提供者の情報のデータベースである。
課金用ログデータベースは、カードホルダがどのようなアプリケーションを何回ダウンロード、更新したかを示す履歴情報のデータベースである。
カードのライフサイクルデータベースはＩＣカードの履歴情報のデータべースであり、ステイタス情報を有している。ステイタスは
１：初期状態
２：発行済み（利用可能）
３：一時使用不可
４：終了（有効期限切れ）
５：終了（失効）
６：その他（工場生産の工程毎のステイタス等）
からなり、ＩＣカードがどのような状態にあるか把握できる情報である。
【００１３】
アプリケーションのライフサイクルデータベースは、アプリケーションの履歴情報のデータべースであり、ステイタス情報を有している。ステイタスは
１：初期状態
２：アプリケーション搭載済み
３：一時退避中（サーバ等に退避する時）
４：一時使用不可
５：終了（有効期限切れ）
６：終了（失効）
からなり、アプリケーションの状態が把握できる情報である。
【００１４】
バリューデータベースは、ポイントアプリケーション等におけるバーチャルな価値情報であり、該当するアプリケーションを何回使用したかにより価値が加算されるポイントのデータベースである。
引継ぎ情報データベースは、カードを再発行したときに旧カードの番号と、新カードの番号を対応させたもので、再発行を生じさせた事由を含む情報のデータベースである。
【００１５】
ＩＣカードデータ管理センタでは、このようなデータベースを利用してデータ管理業務の代行やカード発行処理を行う。
すなわち、データベースサーバ１１によりイシュアから預託されるデータの登録や更新を行い、データベースに基づいてイシュアに代わってデータ管理を実行するので、イシュアのカード管理業務の負担を無くし、かつ確実にＩＣカードデータの管理を行うことができる。また、鍵の生成や証明書の受取や登録、カード発行データの生成等を行って大量のカード発行処理を行うとともに、カードの紛失などによるカード再発行要求に対してもカードプロファイル、引き継ぎ情報データベース等の更新を行い、カード発行データを生成して的確にカードの再発行処理を実行する。
【００１６】
ＤＤＬサーバ１２はカードホルダからの要求に対して個人情報、イシュア、カードプロファイル等のデータベースを参照してダウンロードが許可できるか否か判定し、許可できる場合には個別にアプリケーションのダイナミックダウンロードサービスを行って個人の利便性を向上させる。
【００１７】
バッチサーバ１３は、例えば月次毎にアプリケーションのダウンロード、更新等の履歴を集計し、課金用ログとして残すとともに、課金の元データを生成して集計データとしてイシュアやサービス提供者に配信し、イシュアやサービス提供者の収納業務の負荷を軽減している。
【００１８】
こうしてＩＣカードデータ管理センタではＩＣカードに関するあらゆる情報をデータベース化して一元的に管理することにより、イシュアの管理業務を代行することができる。また、マルチアプリケーションＩＣカードにおけるアプリケーションの変更や追加が支障なく行うことができるとともに、それにともなうアプリケーション使用権に関する課金収納業務も確実に行うことができる。
【００１９】
【発明の効果】
マルチアプリケーションＩＣカードにあっては、アプリケーションの追加、削除、更新等が行えるため、イシュアにとってカードの管理業務の負荷が増大する懸念があるが、本発明のようにＩＣカードデータ管理センタでＩＣカードデータを一元的に管理して管理業務を代行し、カードの発行、再発行、カードの履歴管理等を行うことにより、イシュアの管理業務の負担を軽減することができる。一方、カードホルダにとっては、データ管理センタでデータが一元的に管理されているため、アプリケーションの変更、ダウンロードが可能となり、従来のように、新しいアプリケーションを追加したい場合には、新たなカード発行が必要になったのに対して、カードを発行せずにアプリケーションの追加や変更が可能となり利便性が向上する。また、カード発行端末を利用してリアルタイムのカード発行も可能となる。さらにサービス提供者にとってもアプリケーションの変更やダウンロードの履歴がデータ管理センタで集計されるので、アプリケーション使用権に関する料金収納業務の負担が軽減する。
【図面の簡単な説明】
【図１】本発明のＩＣカードデータ管理システムを説明する概念図である。
【図２】ＩＣカードデータ管理センタを説明する概念図である。
【符号の説明】
１…カードホルダ、２…イシュア、３…ＩＣカードデータ管理センタ、４…ＩＣカード発行センタ、５…ＩＣカード発行端末、６…情報配信センタ、７…サービスセンタ、８…インターネット網、１０…サーバ群、１１…発行処理サーバ、１２…ＤＤＬサーバ、１３…バッチサーバ、２０…データベース。
【図１】
2004030237.tif 000003
【図２】
2004030237.tif 000004